(57)【要約】      （修正有）【課題】ゴルフ場におけるプレーヤのゴルフプレイ情報をデジタル化、グラフィック化し、プレーヤに豊富かつ詳細なゴルフプレイの関連情報を提供し十分な満足度を与えるゴルフプレイ情報処理システムを提供する。【解決手段】ホールのカラーホールレイアウト、プレーヤの識別情報が付され、当該カラーホールレイアウトにおけるゴルフボールの軌跡、プレーヤの打数を示す手書き情報を記入するためのグラフィックスコアカードと、その画像読み取りを行う画像読取手段２と、前記画像読取手段にて読み取った各画像情報から、前記識別情報、手書き情報を抽出し、この手書き情報とグラフィックスコアカードの画像情報とを用いた画像処理により、ゴルフボールの軌跡及びプレーヤの打数をデジタル処理したデジタル化グラフィックスコアカードを作成するデジタル化処理手段９と、グラフィックスコアカードを出力するプリンタ８と、を有する。【選択図】図２
2008102625.tif 000002
【特許請求の範囲】
【請求項１】
ゴルフのスコアカードに記入する各種の情報を記入するためのスコアカードと、
前記スコアカードの画像読み取りを行う画像読取手段と、
前記画像読取手段にて読み取った画像情報と、ゴルフコースにおけるホールレイアウトを付したグラフィックスコアカードの画像情報とを用いた画像処理により、ゴルフボールの軌跡及びプレーヤの打数をデジタル処理したデジタル化グラフィックスコアカードを作成するデジタル化処理手段と、
デジタル化グラフィックスコアカードの情報を記憶する記憶手段と、
デジタル化グラフィックスコアカードを出力する出力手段と、
を有するコンピュータ装置と、
を含むことを特徴とするゴルフプレイ情報処理システム。
【請求項２】
ゴルフコースにおける各ホールのカラーホールレイアウト、プレーヤの識別情報、当該カラーホールレイアウトにおけるゴルフボールの軌跡、プレーヤの打数を示す手書き情報を記入するためのグラフィックスコアカードと、
前記各グラフィックスコアカードの画像読み取りを行い記入済みのグラフィックスコアカードの画像データを出力する画像読取手段と、前記記入済みのグラフィックスコアカードの画像データと未記入のグラフィックスコアカードの画像データとの位置を合わせる画像位置合わせ部と、予め未記入のグラフィックスコアカードの画像データを記憶しているマッチングマップ記憶部と、前記画像位置合わせ部による位置合わせ後の記入済みのグラフィックスコアカードの画像データと、前記マッチングマップ記憶部に記憶した未記入のグラフィックスコアカードの画像データとから手書きの線分、プロット位置を検出するプロット位置検出部と、検出した手書きの線分、プロット位置の座標データに基づいて、電子化されたスコアカードを生成するデジタルスコアカード生成部と、前記各ホール別のスコアデータ、線分、プロット位置の座標データからなる各データを基に各ホール毎のデジタル化グラフィックスコアカードを作成するデジタルスコアカードグラフィック処理部と、を有するデジタル化処理手段と、
デジタル化グラフィックスコアカードの情報を前記識別情報に関連付けて記憶する記憶手段と、
各デジタル化グラフィックスコアカードを出力する出力手段と、を有するコンピュータ装置と、
を含むことを特徴とするゴルフプレイ情報処理システム。
【請求項３】
前記ゴルフボールの軌跡、プレーヤの打数を示す手書き情報は、当該カラーホールレイアウトにおけるティグラウンドからグリーン上のピンに至るゴルフボールの始点、飛球ライン、着地点、パッティングライン及びホールスコア、パッティング数を含むことを特徴とする請求項２記載のゴルフプレイ情報処理システム。
【請求項４】
ゴルフ場コンピュータ装置と、ＡＳＰ（Application Service Provider）コンピュータシステムと、ユーザのコンピュータ端末又は携帯電話と、これら各要素間の交信を行う通信網と、
を含むゴルフプレイ情報処理システムであって、
前記ゴルフ場コンピュータ装置は、ゴルフコースにおける各ホールのプレーヤによるゴルフボールの軌跡、スコア記入欄のプレーヤの打数を示す手書き情報が手書きで記入されたグラフィックスコアカードの画像読み取りを行い有彩色を除去した記入済みのグラフィックスコアカードの画像データを出力する画像読取手段と、前記記入済みのグラフィックスコアカードの画像データと未記入のグラフィックスコアカードの画像データとの位置を合わせる画像位置合わせ部と、予め未記入のグラフィックスコアカードの画像データを各ホール毎に、かつ、Ｘ，Ｙ座標系に関連付けて記憶しているマッチングマップ記憶部と、前記画像位置合わせ部による位置合わせ後の記入済みのグラフィックスコアカードの画像データと、前記マッチングマップ記憶部に記憶した未記入のグラフィックスコアカードの画像データとから手書きの線分、プロット位置をＸ，Ｙ座標系の座標データに関連付けて検出する手書きの線分・プロット位置検出部と、検出した手書きの線分、プロット位置の座標データを記憶する座標データメモリと、前記記入済みのグラフィックスコアカードの画像データからスコア記入欄の画像データを抽出する文字領域抽出部及びその文字をスコアデータとして認識する文字認識部と、前記各ホール別のスコアデータ、線分、プロット位置の座標データからなる各データを基に各ホール毎のデジタル化グラフィックスコアカードを作成するデジタルスコアカードグラフィック処理部と、を有するデジタル化処理手段と、各デジタル化グラフィックスコアカードの情報を前記識別情報に関連付けて記憶する記憶手段と、各デジタル化グラフィックスコアカードを可視的に出力する出力手段と、前記記憶手段に記憶した前記識別情報に関連付けた各デジタル化グラフィックスコアカードの情報を通信網を介して出力する通信処理手段と、を有し、
前記ＡＳＰコンピュータシステムは、前記ゴルフ場コンピュータ装置から送信される前記識別情報に関連付けた各デジタル化グラフィックスコアカードの情報を受信しプレーヤ毎に記憶する記憶手段と、プレーヤ毎に各々識別情報に関連付けた各デジタル化グラフィックスコアカードの情報をＷｅｂ情報として構築し、前記ユーザのコンピュータ端末又は携帯電話からの配信要求に応じて前記通信網を介して当該ユーザのコンピュータ端末又は携帯電話に配信するＷｅｂサーバと、ユーザへのデータ配信に伴う課金処理を行う課金サーバと、を有すること、
を特徴とするゴルフプレイ情報処理システム。
【請求項５】
ゴルフ場コンピュータ装置と、ＡＳＰコンピュータシステムと、ユーザのコンピュータ端末又は携帯電話と、これら各要素間の交信を行う通信網と、
を含むゴルフプレイ情報処理システムであって、
前記ゴルフ場コンピュータ装置は、ゴルフコースにおける各ホールのプレーヤによるゴルフボールの軌跡、スコア記入欄のプレーヤの打数を示す手書き情報が手書きで記入されたグラフィックスコアカードの画像読み取りを行い有彩色を除去した記入済みのグラフィックスコアカードの画像データを出力する画像読取手段と、前記記入済みのグラフィックスコアカードの画像データと未記入のグラフィックスコアカードの画像データとの位置を合わせる画像位置合わせ部と、予め未記入のグラフィックスコアカードの画像データを各ホール毎に、かつ、Ｘ，Ｙ座標系に関連付けて記憶しているマッチングマップ記憶部と、前記画像位置合わせ部による位置合わせ後の記入済みのグラフィックスコアカードの画像データと、前記マッチングマップ記憶部に記憶した未記入のグラフィックスコアカードの画像データとから手書きの線分、プロット位置をＸ，Ｙ座標系の座標データに関連付けて検出する手書きの線分・プロット位置検出部と、検出した手書きの線分、プロット位置の座標データを記憶する座標データメモリと、前記記入済みのグラフィックスコアカードの画像データからスコア記入欄の画像データを抽出する文字領域抽出部及びその文字をスコアデータとして認識する文字認識部と、前記各ホール別のスコアデータ、線分、プロット位置の座標データからなる各データを基に各ホール毎のデジタル化グラフィックスコアカードを作成するデジタルスコアカードグラフィック処理部と、を有するデジタル化処理手段と、前記コース毎のデジタル化グラフィックスコアカードのデータを基にプレーヤ毎の得意ホール、不得意ホール分析データ、他のプレーヤとのホール毎の比較図データ、ホール毎の攻略イメージ図データ等からなる電子ドキュメントを作成するデータ分析処理手段と、前記各デジタル化グラフィックスコアカードの情報、前記電子ドキュメントを前記識別情報に関連付けて記憶する記憶手段と、前記各デジタル化グラフィックスコアカード、前記電子ドキュメントを可視的に出力する出力手段と、を有し、
前記ＡＳＰコンピュータシステムは、前記ゴルフ場コンピュータ装置から送信される前記識別情報に関連付けた各デジタル化グラフィックスコアカード、電子ドキュメントの情報を受信しプレーヤ毎に記憶する記憶手段と、プレーヤ毎に各々識別情報に関連付けた各デジタル化グラフィックスコアカード、電子ドキュメントの情報をＷｅｂ情報として構築し、前記ユーザのコンピュータ端末又は携帯電話からの配信要求に応じて前記通信網を介して当該ユーザのコンピュータ端末又は携帯電話に配信するＷｅｂサーバと、ユーザへのデータ配信に伴う課金処理を行う課金サーバと、を有すること、
を特徴とするゴルフプレイ情報処理システム。
【請求項６】
前記ゴルフボールの軌跡、プレーヤの打数を示す手書き情報は、当該カラーホールレイアウトにおけるティグラウンドからグリーン上のピンに至るゴルフボールの始点、飛球ライン、着地点、パッティングライン及びホールスコア、パッティング数を含むことを特徴とする請求項４又は５記載のゴルフプレイ情報処理システム。
【請求項７】
ゴルフ場コンピュータ装置と、ＡＳＰコンピュータシステムと、ユーザのコンピュータ端末又はユーザの３Ｇ携帯電話と、これら各要素間の交信を行う３Ｇ網を含む通信網と、      を含むゴルフプレイ情報活用システムであって、
前記ゴルフ場コンピュータ装置は、ゴルフコースにおける各ホールのプレーヤによるゴルフボールの軌跡、スコア記入欄のプレーヤの打数を示す手書き情報が手書きで記入されたグラフィックスコアカードの画像読み取りを行い有彩色を除去した記入済みのグラフィックスコアカードの画像データを出力する画像読取手段と、前記記入済みのグラフィックスコアカードの画像データと未記入のグラフィックスコアカードの画像データとの位置を合わせる画像位置合わせ部と、予め未記入のグラフィックスコアカードの画像データを各ホール毎に、かつ、Ｘ，Ｙ座標系に関連付けて記憶しているマッチングマップ記憶部と、前記画像位置合わせ部による位置合わせ後の記入済みのグラフィックスコアカードの画像データと、前記マッチングマップ記憶部に記憶した未記入のグラフィックスコアカードの画像データとから手書きの線分、プロット位置をＸ，Ｙ座標系の座標データに関連付けて検出する手書きの線分・プロット位置検出部と、検出した手書きの線分、プロット位置の座標データを記憶する座標データメモリと、前記記入済みのグラフィックスコアカードの画像データからスコア記入欄の画像データを抽出する文字領域抽出部及びその文字をスコアデータとして認識する文字認識部と、前記各ホール別のスコアデータ、線分、プロット位置の座標データからなる各データを基に各ホール毎のデジタル化グラフィックスコアカードを作成するデジタルスコアカードグラフィック処理部と、を有するデジタル化処理手段と、前記コース毎のデジタル化グラフィックスコアカードのデータを基にプレーヤ毎の得意ホール、不得意ホール分析データ、他のプレーヤとのホール毎の比較図データ、ホール毎の攻略イメージ図データ等からなる電子ドキュメントを作成するデータ分析処理手段と、前記各デジタル化グラフィックスコアカードの情報、前記電子ドキュメントを前記識別情報に関連付けて記憶する記憶手段と、前記各デジタル化グラフィックスコアカード、前記電子ドキュメントを可視的に出力する出力手段と、を有し、
前記ＡＳＰコンピュータシステムは、前記ゴルフ場コンピュータ装置から送信される前記識別情報に関連付けたホール毎のゴルフボールの始点、着地点の座標データ、前記ゴルフ場の各ホールに対応した動画キャラクタによるゴルフゲームソフト、前記座標データとゴルフゲームソフトとのデータリンクソフトをＷｅｂ情報として構築し、前記ユーザのコンピュータ端末又は３Ｇ携帯電話からの配信要求に応じて前記通信網を介して当該ユーザのコンピュータ端末に配信するＷｅｂサーバと、ユーザのコンピュータ端末又は３Ｇ携帯電話へのデータ配信に伴う課金処理を行う課金サーバと、を有し、
前記ユーザのコンピュータ端末又は３Ｇ携帯電話にて、当該ユーザの前記ゴルフ場での実際のプレイに対応した動画キャラクタによるシュミレーションゲームを実現することを特徴とするゴルフプレイ情報活用システム。
【発明の詳細な説明】
【技術分野】
【０００１】
本発明は、ゴルフプレイ情報処理システム及びゴルフプレイ情報活用システムに関し、詳しくは、ゴルフ場におけるプレーヤのゴルフプレイ情報をデジタル化、グラフィック化し、さらにデータ配信することで、ゴルフプレイ情報の有効利用を図り、さらに、シミュレーション化したゴルフゲームを実現することができる斬新なゴルフプレイ情報処理システム及びゴルフプレイ情報活用システムに関するものである。
【背景技術】
【０００２】
一般に、ゴルフ場におけるゴルフプレイにおいては、プレーヤはゴルフ場側で用意した簡易な手書き用のスコアカードに鉛筆等を用いて数字による総打数、パッティング数等のラウンドデータをホール毎に記入し、共にプレーした他のプレーヤと比較したり、それ以降のゴルフプレイの参考にしたり、さらには、ゴルフ場側に当該スコアカードを提供してハンディキャップ認定の基礎資料としたりすることが行われている。
【０００３】
近年では、コンピュータ技術やインターネット網の発展に伴い、手書き用のスコアカードに記入されたラウンドデータをゴルフ場側又は情報管理センター等のコンピュータに入力しデータベース化してＷｅｂサーバに取り込み、インターネット網を介してユーザ端末（プレーヤの端末）に配信することも行われているが、この場合、基礎となるラウンドデータがホール毎の総打数やパッティング数からなる数字データであることから、ユーザ端末側に配信し得る内容も自ずから限られたものであった。
【０００４】
特許文献１には、ゴルフ場端末、ユーザ（競技者）端末、本部サーバ装置、通信網を含み、競技者がプレイ後にスコアカードをゴルフ場に提出し、ゴルフ場端末から本部サーバ装置へスコアカードのデータを送信し、本部サーバ装置側でスコアカードのデータをデータベース化して一元管理するとともに、ユーザ端末からの要求に応じて本部サーバ装置が通信網を介してユーザ端末へ開示要求情報を送信するように構成したゴルフ情報管理配信システムが提案されている。
【０００５】
しかし、このゴルフ情報管理配信システムの場合も、基礎となるスコアカードのデータがホール毎の総打数やパッティング数からなる数字データであることから、ユーザ端末側に配信し得る内容も自ずから限られたものであった。
【特許文献１】特開２００４−０７８４９２号公報
【発明の開示】
【発明が解決しようとする課題】
【０００６】
本発明が解決しようとする問題点は、ゴルフ場におけるプレーヤのゴルフプレイ情報をデジタル化、グラフィック化し、プレーヤに豊富かつ詳細なゴルフプレイの関連情報を提供し十分な満足度を与え、再来場の動機付けの要因となし得るようなゴルフプレイ情報処理システムが存在しない点である。
【課題を解決するための手段】
【０００７】
本発明のゴルフプレイ情報処理システムは、ゴルフのスコアカードに記入する各種の情報を記入するためのスコアカードと、前記スコアカードの画像読み取りを行う画像読取手段と、前記画像読取手段にて読み取った画像情報と、ゴルフコースにおけるホールレイアウトを付したグラフィックスコアカードの画像情報とを用いた画像処理により、ゴルフボールの軌跡及びプレーヤの打数をデジタル処理したデジタル化グラフィックスコアカードを作成するデジタル化処理手段と、デジタル化グラフィックスコアカードの情報を記憶する記憶手段と、デジタル化グラフィックスコアカードを出力する出力手段と、を有するコンピュータ装置と、を含むことを最も主要な特徴とする。
【発明の効果】
【０００８】
請求項１及び２記載の発明によれば、前記ゴルフ場コンピュータ装置における画像読取手段、デジタル化処理手段等による画像処理により、プレーヤが記入した前記グラフィックスコアカードを基に、フルカラーによるデジタル化グラフィックスコアカードが作成され、さらに出力されて、当該プレーヤに提供される。したがって、プレーヤにデジタル処理したゴルフプレイ情報を提供し十分な満足度を与え、再来場の動機付けの要因となし得るようなゴルフプレイ情報処理システムを提供することができる。
【０００９】
請求項３記載の発明によれば、プレーヤは、手書き用のグラフィックスコアカード対して、ティグラウンドからグリーン上のピンに至るゴルフボールの始点、飛球ライン、着地点、パッティングライン及びホールスコア、パッティング数を手書きで記入するだけの簡略な作業をするだけで、フルカラーによるデジタル化グラフィックスコアカードを取得できるゴルフプレイ情報処理システムを提供することができる。
【００１０】
請求項４記載の発明によれば、ゴルフ場コンピュータ装置と、ＡＳＰコンピュータシステムと、ユーザのコンピュータ端末又は携帯電話と、これら各要素間の交信を行う通信網と、を含む構成で、ゴルフ場コンピュータ装置により作成され、ＡＳＰコンピュータシステムに送信されたデジタル化グラフィックスコアカードの情報を、ユーザのコンピュータ端末又は携帯電話からの配信要求に応じて通信網を介して当該ユーザのコンピュータ端末又は携帯電話に配信するものであるから、ユーザは随時自己のデジタル化グラフィックスコアカードの情報を入手し、以後のゴルフプレイへの参考資料、ゴルフ技術向上のための指針等とすることができるゴルフプレイ情報処理システムを提供することができる。
【００１１】
請求項５記載の発明によれば、請求項４記載の発明と同様の効果を奏するとともに、プレーヤ毎の得意ホール、不得意ホール分析データ、他のプレーヤとのホール毎の比較図データ、ホール毎のピン位置によるパッティング分析、ホール毎の攻略イメージ図データ、当日の全プレーヤ中の順位データ等からなる電子ドキュメントがユーザのコンピュータ端末又は携帯電話に配信されるので、ユーザはより豊富なゴルフプレイ関連情報を入手でき、満足度を高めることができる。
【００１２】
また、ゴルフ場側では、プレーヤに豊富かつ詳細なゴルフプレイの関連情報を提供し十分な満足度を与え、再来場の動機付けの要因となし得る。さらに、ユーザへのデータ配信に伴い、予め設定した料金体系で個々のユーザに対する課金処理を実行するので、ＡＳＰコンピュータシステムによるデータ配信サービスの収益を確保することができる。
【００１３】
請求項６記載の発明によれば、プレーヤ（ユーザ）は、ゴルフプレイを行う場合に手書き用のグラフィックスコアカード対して、ティグラウンドからグリーン上のピンに至るゴルフボールの始点、飛球ライン、着地点、パッティングライン及びホールスコア、パッティング数を手書きで記入するだけの簡略な作業をするだけで、後に自己のデジタル化グラフィックスコアカード、電子ドキュメントの情報を入手し、以後のゴルフプレイへの参考資料、ゴルフ技術向上のための指針等とすることができるゴルフプレイ情報処理システムを提供することができる。
【００１４】
請求項７記載の発明によれば、ユーザは、ＡＳＰコンピュータシステムからのデータ配信によって、自己のコンピュータ端末又は３Ｇ携帯電話を使用して自己の実際のゴルフプレイに対応した動画によるシュミレーションゲームを楽しむことができるゴルフプレイ情報活用システムを提供できる。また、ＡＳＰコンピュータシステムは、データ配信に伴い、課金処理を実行するので、ＡＳＰコンピュータシステム運用の収益を確保することができる。
【発明を実施するための最良の形態】
【００１５】
本発明は、ゴルフ場におけるプレーヤのゴルフプレイ情報をデジタル化、グラフィック化し、プレーヤに豊富かつ詳細なゴルフプレイの関連情報を提供し十分な満足度を与え、再来場の動機付けの要因となし得るようなゴルフプレイ情報処理システムを提供するという目的を、ゴルフコースにおける各ホールのカラーホールレイアウト、プレーヤの識別情報、当該カラーホールレイアウトにおけるゴルフボールの軌跡、プレーヤの打数を示す手書き情報を記入するためのグラフィックスコアカードと、前記各グラフィックスコアカードの画像読み取りを行い記入済みのグラフィックスコアカードの画像データを出力する画像読取手段と、前記記入済みのグラフィックスコアカードの画像データと未記入のグラフィックスコアカードの画像データとの位置を合わせる画像位置合わせ部と、予め未記入のグラフィックスコアカードの画像データを記憶しているマッチングマップ記憶部と、前記画像位置合わせ部による位置合わせ後の記入済みのグラフィックスコアカードの画像データと、前記マッチングマップ記憶部に記憶した未記入のグラフィックスコアカードの画像データとから手書きの線分、プロット位置を検出するプロット位置検出部と、検出した手書きの線分、プロット位置の座標データに基づいて、電子化されたスコアカードを生成するデジタルスコアカード生成部と、前記各ホール別のスコアデータ、線分、プロット位置の座標データからなる各データを基に各ホール毎のデジタル化グラフィックスコアカードを作成するデジタルスコアカードグラフィック処理部と、を有するデジタル化処理手段と、  デジタル化グラフィックスコアカードの情報を前記識別情報に関連付けて記憶する記憶手段と、各デジタル化グラフィックスコアカードを出力する出力手段と、を有するコンピュータ装置と、を含む構成により実現した。
【実施例】
【００１６】
以下に、本発明の実施例に係るゴルフプレイ情報処理システム、ゴルフプレイ情報活用システムについて図面を参照して詳細に説明する。
【００１７】
（実施例１）
まず本発明の実施例１に係るゴルフプレイ情報処理システムについて説明する。
【００１８】
本実施例１に係るゴルフプレイ情報処理システムは、コンピュータ装置、例えばゴルフ場に設置されるゴルフ場コンピュータ装置１により、ラウンド前に個々のプレーヤに配布される図５、図６の各上欄に示すような手書き用のグラフィックスコアカード１００を基に、図５、図６の各下欄に示すデジタル化グラフィックスコアカード１１０を作成するシステムである。
【００１９】
前記手書き用のグラフィックスコアカード１００は、当該ゴルフ場の例えば１８ホールからなるゴルフコースにおける各ホール毎のホールナンバ、距離、「パー４」等のパーデータ、ティグラウンドからグリーンまでのカラーホールレイアウト及びグリーンの拡大カラーレイアウト、フェアウェイ各地点からグリーン上のピン位置に至る距離データ、グリーン上の距離データ、プレーヤ毎に異なる識別情報（ＩＤデータ）を埋め込んだ例えば図８に示すＱＲコード（キューアールコード；Quick Response Code）１２０等が付されるとともに、当該カラーゴルフホールレイアウトにおけるティグラウンドからグリーン上のピンに至るゴルフボールの始点、飛球ライン、着地点、パッティングライン及びスコア記入欄（ホールスコア、パッティング数を記入する欄）を設けたシートを１ラウンド分、すなわち、１８枚含み、これに図５に示すように表紙１０１を付加して、例えば冊子状に綴ることで構成している。また、前記表紙１０１には、右打ち、左打ちの手書き記入欄を設けている。ここに、カラーホールレイアウトとは、ゴルフコースにおける各ホールのレイアウトを、ティーグランド、フェアウェイ、ラフ、グリーン、バンカー、池、樹木等のエリアや存在物別に何色かの有彩色で色分けして表示したものをいう。
【００２０】
前記グラフィックスコアカード１００におけるスコア記入欄は、図６上欄に示すように、ホールスコア（合計打数）、パッティング数を表す数字列（１乃至１５、０乃至７等）が縦書きで２列に亙って記され、実際のホールスコア、パッティング数を示す数字を手書きにて丸印で囲むように構成している。手書き用のスコア記入欄としては、この他図７に示すように、ホールスコア、パッティング数を示す縦書きの数字列の横に記号記入欄を設け、実際のホールスコア、パッティング数を該当する数字の横に例えば手書きの黒丸で記入する構成としてもよい。
【００２１】
前記デジタル化グラフィックスコアカード１１０は、図６下欄に示すように、当該ゴルフ場の例えば１８コースからなるゴルフコースにおける各ホール毎のホールナンバ、距離、「パー４」等のパーデータ、ティグラウンドからグリーンまでのカラーホールレイアウト、フェアウェイ各地点からグリーン上のピン位置に至る距離データ、グリーン上の距離データからなるグラフィック表示、プレーヤ毎に異なる識別情報（ＩＤデータ）である例えば図８に示すＱＲコード１２０等を含み、さらに、ゴルフボールの始点、飛球ライン、着地点、パッティングライン、及び、スコア記入欄（ホールスコア、パッティング数）をグラフィック処理したシートを１ラウンド分、すなわち、１８枚含み、これに図５に示すように表紙１１１を付加して、例えば冊子状に綴ることで構成している。
【００２２】
本実施例１に係るゴルフプレイ情報処理システムにおけるゴルフ場コンピュータ装置１は、図２に示すように、画像読み取り処理、詳細は後述する各種の画像処理、データ分析処理、印刷処理、通信処理等各種のプログラムを格納したプログラムメモリ３と、前記プログラムに基づきこのゴルフ場コンピュータ装置１全体の制御を行う制御部４と、記入済みの前記グラフィックスコアカード１００の表紙１０１、前記シートの表面に対する画像走査を行って有彩色を除去した記入済みのグラフィックスコアカードの画像データを出力するカラースキャナ又はカラーＦＡＸ等からなる画像読取手段２と、画像読取手段２からの画像データを転送する画像読取用インターフェース５と、各種データを記憶する記憶手段６と、各種データを入力するキーボード７と、画像出力手段を構成するプリンタ８と、詳細は後述する各種の画像処理を行うデジタル化処理手段９と、詳細は後述するデータ分析処理を行うデータ分析処理手段１０と、ルータ等の通信インターフェース１１とを有している。
【００２３】
前記デジタル化処理手段９は、図３に示すように、前記画像処理プログラムに基づく制御部４の制御の基に前記画像データの入力処理、処理データの出力処理を行うデータ入出力処理部２１と、前記識別情報を埋め込んだ例えばＱＲコード１２０を読み取って取得したデータとＱＲコード１２０の画像データを記憶するＩＤデータ取得記憶部２２と、前記記入済みのグラフィックスコアカードの画像データと後述する未記入のグラフィックスコアカードの画像データとの位置（例えば、予め設定したＸ，Ｙ座標系の原点）を合わせる画像位置合わせ部２３と、前記画像読取手段２にて読み取った記入済みのグラフィックスコアカードの画像データを記憶する記入済みのグラフィックスコアカードメモリ２４と、予め未記入のグラフィックスコアカードの画像データを各ホール毎に、かつ、Ｘ，Ｙ座標系に関連付けて記憶している加筆データプロット位置（加筆データの位置情報）検出用のマッチングマップ記憶部２５と、前記画像位置合わせ部２３による位置合わせ後の記入済みのグラフィックスコアカードの画像データと、前記マッチングマップ記憶部２５に記憶した未記入のグラフィックスコアカードの画像データとから手書きの線分、プロット位置をＸ，Ｙ座標系の座標データに関連付けて検出するプロット位置検出部、すなわち、手書きの線分・プロット位置検出部２８と、検出した手書きの線分、プロット位置の座標データを記憶する座標データメモリ３０と、前記記入済みのグラフィックスコアカードの画像データから予め認識対象として特定された特定領域（ホールスコア、パッティング数を記入するスコア記入欄）の画像データを抽出する文字領域抽出部３１と、抽出した文字領域の画像データを記憶する文字画像メモリ３２と、文字画像メモリ３２上の画像データより文字画像データを切り出し、そのマークされた文字の認識を行う文字認識部３３と、認識した文字データ（例えば合計７、パター３）をスコアデータとして記憶するスコアデータ記憶部３４と、前記座標データメモリ３０にて検出した線分、プロット位置の座標データに基づき、ドライバー（第１打）、第２打、・・・の飛距離、パーオン率等を演算する演算処理部３５と、演算処理部３５にて演算した各演算データをする演算データ記憶部３６と、当該ゴルフコースの１８ホール分の各ホールのうち、図１１に示すように、特にミドルホール（パー４）、ロングホール（パー５）の視覚イメージを尊重し見易くするためにミドルホール、ロングホールについての有彩色のレイアウトデータを例えばＸ方向１、Ｙ方向１．３の比率で記憶し、ショーホール（パー３）についての有彩色のレイアウトデータをＸ方向１、Ｙ方向１の比率で記憶している縮尺レイアウト記憶部３８と、前記各ホール別のスコアデータ、線分、プロット位置の座標データからなる各データと、前記縮尺レイアウト記憶部３８に記憶している各有彩色のレイアウトデータとを関連付けて図６下欄に示すデジタル化グラフィックスコアカードを作成するデジタルスコアカードグラフィック処理部３７と、を有している。前記座標データメモリ３０と、文字領域抽出部３１、文字画像メモリ３２、文字認識部３３によりデジタルスコアカード生成部を構成している。
【００２４】
前記座標データ、前記座標データに基づくドライバー（第１打）、第２打、・・・のボールの飛距離、前記ホールスコア、パッティング数に基づくパーオン率等のデータは、各プレーヤの１８ホール分毎に識別情報（ＩＤデータ）に関連付けて実行され、さらに、前記データ入出力処理部２１から前記記憶手段６に送られ、識別情報（ＩＤデータ）に関連付けて各プレーヤ別に記憶される。
【００２５】
前記データ分析処理手段１０は、予め設定したデータ分析処理プログラムに基づくデータ分析処理を実行する。すなわち、前記データ分析処理手段１０は、前記記憶手段６から前記座標データ、前記座標データに基づくドライバー（第１打）、第２打、・・・のボールの飛距離、前記ホールスコア、パッティング数に基づくパーオン率等のラウンドデータを読み込み、これらを基に図９に示すように各ホール別にプレーヤの各打毎の始点、着地点の座標データ、飛球ライン（ストレート、スライス、フック等）、飛距離（単位：ヤード）、ホールスコア（総打数）、パッティング数を含む電子ドキュメント１３０を作成するようになっている。
【００２６】
また、前記データ分析処理手段１０は、データ分析処理プログラムに基づき、各プレーヤの上述したラウンドデータを使用して得意、不得意ホールの分析、共にラウンドした各プレーヤの全ホール分の比較図、各ホールのピン位置によるパッティング分析、各ホールの攻略イメージ図等からなる電子ドキュメントを作成するようになっている。
【００２７】
前記データ分析処理手段１０についてさらに詳述すると、このデータ分析処理手段１０は、図１０に３ホール分を例示するように、データ分析処理プログラムに基づき、各プレーヤの上述したラウンドデータを使用して３ホール共通の総打数分析、パット分析、パーオン分析、ショートホール分析、ミドル・ロングホール分析を行い、これらも電子ドキュメント１３１として作成するようになっている。
【００２８】
前記ショートホール分析は、第１打についてのワンオン、グリーンオーバ、ショート等の分析を行い、ミドル・ロングホール分析は、ティーショット飛距離、フェアウェイキープ率、ラフ打ち込み、球筋等の分析を行うようになっている。
【００２９】
次に、本実施例１係るゴルフプレイ情報処理システムによるゴルフプレイ情報処理の流れを、図１２に示すフローチャートを参照して説明する。
【００３０】
ゴルフ場において、共にラウンドする各プレーヤは、ラウンド前に図５、図６の各上欄に示すような手書き用のグラフィックスコアカード１００を各々受け取り、１番ホールから順に１８番ホールまでゴルフプレイを実行する。
【００３１】
このとき、各プレーヤは、前記表紙１０１に例えば鉛筆を用いて右うち、又は左打ちの別を記入するとともに、各ホールのプレイ終了毎に手書き用のグラフィックスコアカード１００の各シートに自己の各打の始点、飛球ライン、着地点、パッティングラインを手書きにて記入し、さらに、ホールスコア、パッティング数も手書きにて記入し、合計１８枚の手書きシートを作成する。
【００３２】
１ラウンド終了後、各プレーヤは手書き記入済みのグラフィックスコアカード１００をゴルフ場側に前記ゴルフ場コンピュータ装置１によるデータ処理用として提出する。
【００３３】
前記ゴルフ場コンピュータ装置１における画像読取手段２は、前記グラフィックスコアカード１００の表紙１０１、前記各シートに対する画像走査（スキャニング処理）を順に実行し画像読み取りを行って（ステップＳ１）、図６に示すように有彩色を除去した画像データを出力する。
【００３４】
前記画像読取手段２にて読み取られた前記グラフィックスコアカード１００の表紙１０１、前記各シートの画像データは、制御部４の制御の基に前記デジタル化処理手段９に順に転送され、デジタル化処理が実行される。
【００３５】
すなわち、前記デジタル化処理手段９は、画像処理プログラムに基づいて入出力処理部２１から前記画像データを入力し、ＩＤデータ取得記憶部２２にＱＲコード１２０の画像データとＱＲコード１２０を読み取って得られた識別情報（ＩＤデータ）とを記憶する（ステップＳ２）。また、前記画像読取手段２にて読み取った画像データを記入済みのグラフィックスコアカードメモリ２４に記憶する（ステップＳ３）。
【００３６】
前記画像位置合わせ部２３は、前記記入済みのグラフィックスコアカード１００の画像データと、前記マッチングマップ記憶部２５から読み込んだ未記入のグラフィックスコアカードの画像データとの位置合わせを行う（ステップＳ４）。
【００３７】
次に、手書きの線分・プロット位置検出部２８は、前記画像位置合わせ部２３による位置合わせ後の記入済みのグラフィックスコアカードの画像データと、前記マッチングマップ記憶部２５に記憶した未記入のグラフィックスコアカードの画像データとから手書きの線分、プロット位置をＸ，Ｙ座標系の座標データに関連付けて検出する（ステップＳ５）。
検出した手書きの線分、プロット位置の座標データは、座標データメモリ３０に記憶する（ステップＳ６）。
【００３８】
一方、前記文字領域抽出部３１は、前記記入済みのグラフィックスコアカードの画像データから予め認識対象として特定されたスコア記入欄の画像データを抽出し（ステップＳ７）、抽出した文字領域の画像データを文字画像メモリ３２に記憶する。前記文字認識部３３は、文字画像メモリ３２上の画像データより文字画像データを切り出し、そのマークされた文字の認識を行い、認識した文字データ（例えば合計４、パター２）をスコアデータとして前記スコアデータ記憶部３４に記憶する（ステップＳ８）。
【００３９】
前記演算処理部３５は、前記座標データメモリ３０にて検出した線分、プロット位置の座標データに基づき、ドライバー（第１打）、第２打、・・・の飛距離、パーオン率等を演算し、演算結果を演算データ記憶部３６に記憶する（ステップＳ９）。
【００４０】
前記デジタルスコアカードグラフィック処理部３７は、前記各ホール別のスコアデータ、線分、プロット位置の座標データからなる各データと、前記縮尺レイアウト記憶部３８に記憶している各有彩色のレイアウトデータとを関連付けて図６下欄に示すデジタル化グラフィックスコアカード１１０及び図５下欄に示す表紙１１１の各データを作成する（ステップＳ１０）。
【００４１】
上述したデジタル化グラフィックスコアカード１１０のデータ、ＱＲコード１２０及び識別情報（ＩＤデータ）、スコア、座標等の各データは、前記データ入出力処理部２１から記憶手段６に送られ、前記ＱＲコード１２０に関連付られて記憶保持される（ステップＳ１１）。
【００４２】
このような処理が、前記ゴルフ場コンピュータ装置１により各プレーヤのグラフィックスコアカード１００に対して次々と実行される。そして、前記プリンタ８によりデジタル化グラフィックスコアカード１１０がフルカラーにて可視的に出力される。
【００４３】
また、前記データ分析処理手段１０は、既述したように、前記記憶手段６から前記座標データ、前記座標データに基づくドライバー（第１打）、第２打、・・・のボールの飛距離、前記ホールスコア、パッティング数に基づくパーオン率等のラウンドデータを読み込み、これらを基に図９に示すように各ホール別にプレーヤの各打毎の始点、着地点の座標データ、飛球ライン（ストレート、スライス、フック等）、飛距離（単位：ヤード）、ホールスコア（総打数）、パッティング数を含むホール別の電子ドキュメント１３０を作成する。さらに、前記データ分析処理手段１０は、データ分析プログラムと、オペレータの入力作業に基づき、図示していないがプレーヤ毎の得意ホール、不得意ホール分析データ、他のプレーヤとのホール毎の比較図データ、ホール毎のピン位置によるパッティング分析、ホール毎の攻略イメージ図データ、当日の全プレーヤ中の順位データ等からなる電子ドキュメントや、図１０に示すような電子ドキュメント１３１も作成する（ステップＳ１２）。
【００４４】
これらのホール別の電子ドキュメント１３０、１３１、図示しない電子ドキュメントの各データも記憶手段６に送られ、前記ＱＲコード１２０及び識別情報（ＩＤデータ）に関連付られて記憶保持される。これらの電子ドキュメント１３０、１３１等も、前記プリンタ８により可視的に出力される（ステップＳ１３）。
【００４５】
本実施例１係るゴルフプレイ情報処理システムによれば、前記ゴルフ場コンピュータ装置１における画像処理により、プレーヤが記入した前記グラフィックスコアカード１００を基に、図５下欄に示すフルカラーによるデジタル化グラフィックスコアカード１１０、図９に示すホール別の電子ドキュメント１３０、図１０に示す電子ドキュメント１３１、さらには、プレーヤ毎の得意ホール、不得意ホール分析データ、他のプレーヤとのホール毎の比較図データ、ホール毎のピン位置によるパッティング分析、ホール毎の攻略イメージ図データ、当日の全プレーヤ中の順位データ等からなる電子ドキュメントが作成され、前記プリンタ８により可視的に出力されて、当該プレーヤに提供される。
【００４６】
したがって、個々のプレーヤに豊富かつ詳細なゴルフプレイの関連情報を提供し十分な満足度を与え、再来場の動機付けの要因となし得るようなゴルフプレイ情報処理システムを提供することができる。
【００４７】
また、本実施例１係るゴルフプレイ情報処理システムによれば、前記ゴルフ場コンピュータ装置１における画像処理により作成したプレーヤが記入した前記デジタル化グラフィックスコアカード１１０のデータをプレーヤ別にデータベース化し、あるプレーヤが後日再来場してゴルフプレーを行う場合に、前回作成したデジタル化グラフィックスコアカード１１０に表示した打球の軌跡等を、当日プレーヤに手渡す新たな手書きのグラフィックスコアカード１００の各シートに点線等の目立たないラインで表示して今回のゴルフプレーの参考資料として提供しサービス性を向上するような使用態様も可能である。
【００４８】
（実施例２）
次に、本発明の実施例２に係るゴルフプレイ情報処理システムについて、上述した図１乃至図３、さらには、図４をも参照して説明する。
【００４９】
本実施例２係るゴルフプレイ情報処理システムは、場所が異なる複数（例えば３箇所等）のゴルフ場に設置された実施例１の場合と同様な斬新なデジタル化グラフィックスコアカード１１０や電子ドキュメント１３１等を作成処理するゴルフ場コンピュータ装置１と、ＡＳＰ（Application Service Provider）コンピュータシステム４１と、ユーザ（ゴルフプレイを行うプレーヤ）のＩＰ（インターネット  プロトコル）対応のコンピュータ端末６１又は第２世代（２Ｇ（ツージー；2nd Generation））の携帯電話（以下「２Ｇ携帯電話」という）７１と、前記ゴルフ場コンピュータ装置１とＡＳＰコンピュータシステム４１とを接続する通信回線８１、及び、前記ＡＳＰコンピュータシステム４１と前記コンピュータ端末６１又は２Ｇ携帯電話７１とを接続するインターネット網９１、２Ｇ網９２とを具備する通信網とを含んで構成し、前記ユーザのコンピュータ端末６１又は２Ｇ携帯電話７１からの配信要求に応じて前記インターネット網９１、２Ｇ網９２を介して当該ユーザのコンピュータ端末６１又は２Ｇ携帯電話７１に前記デジタル化グラフィックスコアカード１１０、前記電子ドキュメント等の各種データの課金処理を伴うデータ配信を行うように構成している。前記通信回線８１は、インターネット網、専用回線等で構成することができる。
【００５０】
また、本実施例２に係るゴルフプレイ情報処理システムは、前記インターネット網９１を介してハンディキャップ認定機関端末９４、ゴルフ練習場端末９５にもデータ配信を行うように構成している。
【００５１】
さらに、本実施例２に係るゴルフプレイ情報処理システムは、３Ｇ（スリージー；3rd generation）網９３を介してユーザの第３世代携帯電話（以下「３Ｇ携帯電話」という）７２にもデータ配信を行うように構成しているが、これについては後述の実施例３において詳述する。
【００５２】
前記ＡＳＰコンピュータシステム４１は、図４に示すように、例えばＬＡＮ（ラン；Local Area Network）等の内部通信網４２を具備し、この内部通信網４２に対して、前記通信回線８１を介してゴルフ場コンピュータ装置１の通信インターフェース１１と接続されるルータ等の第１通信インターフェース４３と、前記インターネット網９１に接続されるルータ等の第２通信インターフェース４４と、ユーザ（プレーヤ）毎に各々前記識別情報（ＩＤデータ）に関連付けた各デジタル化グラフィックスコアカード１１０、電子ドキュメントの情報をＷｅｂ情報とし、ユーザからの要求により当該コンピュータ端末６１又は２Ｇ携帯電話７１に提供するＷｅｂサーバ４５と、ユーザのコンピュータ端末６１又は２Ｇ携帯電話７１との間でメール交信処理を行うメールサーバ４６と、このＡＳＰコンピュータシステム４１における担当者が各種のデータの入力処理等を行う担当者端末４７と、前記ゴルフ場コンピュータ装置１から送信される前記識別情報（ＩＤデータ）に関連付けた各デジタル化グラフィックスコアカード１１０、電子ドキュメントの情報を受信し各プレーヤの予め登録した例えばパスワードに対応付けて記憶するＡＳＰ記憶手段４８と、後述の実施例３において詳述する変換サーバ４９と、ユーザへのデータ配信に伴い、詳細は省略するが予め設定した料金体系の基に公知の方法で課金処理を行う課金サーバ５０と、を接続する構成としている。
【００５３】
前記Ｗｅｂサーバ４５は、ＳＳＬ（エスエスエル；Secure Sockets Layer）対応のＷｅｂサービスを搭載し、個人情報の入力が必要なＷｅｂサイトを構築している。
【００５４】
次に、本実施例２係るゴルフプレイ情報処理システムにおけるＡＳＰコンピュータシステム４１からユーザのコンピュータ端末６１又は２Ｇ携帯電話７１に対するデータ配信処理について説明する。
【００５５】
前記記入済みのグラフィックスコアカード１００をゴルフ場コンピュータ装置１に提供したユーザ（当該ゴルフ場にてプレイしたプレーヤ）は、自己のコンピュータ端末６１又は２Ｇ携帯電話７１を使用して随時インターネット網９１、２Ｇ網９２を介してＡＳＰコンピュータシステム４１のＷｅｂサイトにアクセスし個人情報である自己のパスワードを送信する。
【００５６】
前記Ｗｅｂサーバ４５は、ＡＳＰ記憶手段４８に記憶した当該パスワードに対応する前記デジタル化グラフィックスコアカード１１０又は電子ドキュメント１３０、１３１等の情報を読み込みＷｅｂ情報として第２通信インターフェース４４、インターネット網９１、２Ｇ網９２を介して当該コンピュータ端末６１又は２Ｇ携帯電話７１に前記デジタル化グラフィックスコアカード１１０又は電子ドキュメントの情報を送信する。
【００５７】
これにより、当該ユーザは、何時でも自己のデジタル化グラフィックスコアカード１１０又は電子ドキュメント１３０、１３１等の情報を入手することができる。
【００５８】
すなわち、当該ユーザは、既述したようなデジタル化グラフィックスコアカード１１０、スコアデータ、前記電子ドキュメント１３０、１３１、プレーヤ毎の得意ホール、不得意ホール分析データ、他のプレーヤとのホール毎の比較図データ、ホール毎のピン位置によるパッティング分析、ホール毎の攻略イメージ図データ、当日の全プレーヤ中の順位データ等からなる電子ドキュメントを何時でも入手でき、以後のゴルフプレイへの参考資料、ゴルフ技術向上のための指針等とすることができる。このような処理が個々のユーザ毎に実行される。
【００５９】
前記ＡＳＰコンピュータシステム４１の課金サーバ５０は、上述したデータ配信に伴い、予め設定した料金体系で個々のユーザに対する課金処理を実行し、ＡＳＰコンピュータシステム４１によるデータ配信サービスの収益を確保する。
【００６０】
上述したデータ配信処理の他に、前記ＡＳＰコンピュータシステム４１のメールサーバ４６を使用した電子メールによるユーザへのデジタル化グラフィックスコアカード１１０、電子ドキュメント１３０、１３１等の配信処理を実行することももちろん可能である。
【００６１】
また、上述したデジタル化グラフィックスコアカード１１０等のデータを、前記ハンディキャップ認定機関端末９４に送信してハンディキャップの認定を受けたり、ユーザが練習に行く前記ゴルフ練習場端末９５にて受信し、当該ユーザのレッスンに役立てたりすることもできる。
【００６２】
この場合、ゴルフ練習場において、図示しないがモーションアナライザを配置し、ユーザのゴルフスィングの姿を撮影、解析し、前記デジタル化グラフィックスコアカード１１０のデータと組み合わせてレッスンプロの指導の基にスィング改造を行う等の有益な活用を図ることができる。
【００６３】
（実施例３）
次に、本発明の実施例３に係るゴルフプレイ情報活用システムについて、上述した図１、図４、さらには、図１３、図１４、図１５をも参照して説明する。
【００６４】
本実施例３に係るゴルフプレイ情報活用システムは、実施例２に係るゴルフプレイ情報活用システムと略同様な構成であるが、ゲームソフト提供会社から取得した動画キャラクタによるゴルフゲームソフト、データリンクソフト、既述したデジタル化グラフィックスコアカード１１０の作成時に求められたユーザ（プレーヤ）のホール毎のスコアデータ、打球等の軌跡の座標データ等をＡＳＰコンピュータシステム４１における前記ＡＳＰ記憶手段４８に記憶し、これらを前記ＡＳＰコンピュータシステム４１から、ユーザのコンピュータ端末６１又は３Ｇ携帯電話７２に対して送信して、当該ユーザのコンピュータ端末６１又は３Ｇ携帯電話７２において自己の実際のホール毎のプレイに対応した動画によるシュミレーションゲームを実現するものである。
【００６５】
すなわち、前記ＡＳＰコンピュータシステム４１のＷｅｂサーバ４５は、インターネット網９１を介してコンピュータ端末６１に対して前記ゴルフゲームソフト、データリンクソフト、座標データを送信し、また、前記ＡＳＰコンピュータシステム４１の変換サーバ４９は、前記ゴルフゲームソフト、データリンクソフト、座標データを３Ｇ対応に変換して前記３Ｇ網９３を介して３Ｇ携帯電話７２に送信するようになっている。
【００６６】
前記ゴルフゲームソフト、データリンクソフトは、例えばゲームソフト配信業者から予め取得し、前記ＡＳＰ記憶手段４８に記憶しておくことが一つの態様であるが、これに限定されるものではなく、ユーザ自身がコンピュータ端末６１又は３Ｇ携帯電話７２にゲームソフト配信業者から直接ダウンロードし、インストールしておくような態様ももちろん可能である。
【００６７】
前記コンピュータ端末６１又は３Ｇ携帯電話７２に送信する前記ゴルフゲームソフトは、前記ゴルフ場コンピュータ装置１を備えた各ゴルフ場のホール毎の画像上で人間の形をした動画キャラクタがウッドやアイアンによるショット、パッティング等のゴルフプレイ動作を実行する機能、ホール毎の座標データにデータリンクする機能を具備している。
【００６８】
また、前記３Ｇ携帯電話７２は、ＩＭＴ−２０００に準拠した方式を採用し、例えばＣＤＭＡ技術を利用した携帯電話であり、高速なデータ通信速度と、それを使った動画等のマルチメディアコンテンツを利用できる点が特徴である。
【００６９】
前記ＡＳＰコンピュータシステム４１の変換サーバ４９は、このＡＳＰコンピュータシステム４１から前記３Ｇ携帯電話７２へ送信する動画情報を、例えばＭＰＥＧ４又はＨ．２６３形式のファイルフォーマットから３ＧＰＰ又は３ＧＰＰ２ファイルフォーマットへ変換する機能、音情報を、例えばＧ７１１ファイルフォーマットからＡＭＲファイルフォーマットへ変換する機能を具備している。
【００７０】
ここに、３ＧＰＰは、３ｒｄ  Ｇｅｎｅｒａｔｉｏｎ  Ｐａｒｔｎｅｒｓｈｉｐ  Ｐｒｏｊｅｃｔファイルフォーマット、３ＧＰＰ２は、３ｒｄ  Ｇｅｎｅｒａｔｉｏｎ  Ｐａｒｔｎｅｒｓｈｉｐ  Ｐｒｏｊｅｃｔ２ファイルフォーマットである。
【００７１】
また、ＭＰＥＧ４は、カラー画像を圧縮する変換方式の標準方式の一つであるＭｏｖｉｎｇ  Ｐｉｃｔｅｒｅ  Ｅｘｐｅｒｔｓ  Ｇｒｏｕｐ４であり、Ｈ．２６３は、ビデオ信号符号化の規格の一つである。
【００７２】
更に、ＡＭＲは、音声情報変換方式の一つであるＡｕｄｉｏ／Ｍｏｄｅｍ  Ｒｉｓｅｒであり、Ｇ７１１も音声情報変換方式の一つである。
【００７３】
本実施例３に係るゴルフプレイ情報活用システムにおいて、前記ゴルフゲームソフトを搭載したユーザのコンピュータ端末６１から前記ＡＳＰコンピュータシステム４１にパスワードを伴ったゴルフゲームソフト、データリンクソフト、座標データの送信要求がなされると、前記Ｗｅｂサーバ４５はゴルフゲームソフト、データリンクソフト、当該ユーザのホール毎の座標データをインターネット網９１を介してコンピュータ端末６１に送信する。
【００７４】
コンピュータ端末６１は、ゴルフゲームソフト、データリンクソフト、ホール毎の座標データを受信し、前記データリンクソフトによるデータリンクにより動画キャラクタによるゴルフゲームソフトを実行する。
【００７５】
すなわち、図１４に示すように、コンピュータ端末６１の画面に実際のゴルフ場のホールに対応した画像が表示されるとともにユーザのマウス操作等による指示に基づき動画キャラクタがウッドやアイアンによるショット、パッティング等のゴルフプレイ動作を当該ユーザの実際のゴルフプレイ動作に対応する状態でかつホール毎に実行する。
【００７６】
これにより、ユーザは、コンピュータ端末６１を使用して自己の実際のゴルフプレイに対応した動画によるシュミレーションゲームを楽しむことができる。
【００７７】
一方、前記ユーザの３Ｇ携帯電話７２から前記ＡＳＰコンピュータシステム４１にパスワードを伴ったゴルフゲームソフト、データリンクソフト、座標データの送信要求がなされると、前記変換サーバ４９は上述したゴルフゲームソフト、データリンクソフト、ホール毎の座標データを３Ｇ網９３を介して３Ｇ携帯電話７２に送信する。
【００７８】
前記３Ｇ携帯電話７２は、ゴルフゲームソフト、データリンクソフト、ホール毎の座標データを受信し、前記データリンクソフトによるデータリンクにより動画キャラクタによるゴルフゲームソフトを実行する。
【００７９】
すなわち、図１５に示すように、前記３Ｇ携帯電話７２の画面に実際のゴルフ場のホールに対応した画像が表示されるとともにユーザの３Ｇ携帯電話７２におけるボタン指示に基づき動画キャラクタがウッドやアイアンによるショット、パターによるパッティング等のゴルフプレイ動作を当該ユーザの実際のゴルフプレイ動作に対応する状態でかつホール毎に実行する。
【００８０】
これにより、当該ユーザは、３Ｇ携帯電話７２を使用して自己の当該ゴルフ場での実際のゴルフプレイに対応した動画によるシュミレーションゲームを楽しむことができる。
【００８１】
前記ＡＳＰコンピュータシステム４１の課金サーバ５０は、上述したゴルフゲームソフト等のデータ配信に伴い、実施例２の場合と同様な課金処理を実行し、ＡＳＰコンピュータシステム４１運用の収益を確保する。
【００８２】
本実施例３に係るゴルフプレイ情報活用システムは、さらに種々の応用が可能である。例えば、図１６に示すよように、前記ＡＳＰコンピュータシステム４１から、ユーザのコンピュータ端末６１又は３Ｇ携帯電話７２に、予めＡＳＰ記憶手段に記憶した有名ゴルフ場等の実際のホールを模擬したゴルフゲームソフトと、その有名ゴルフ場で実際にラウンドした有名プロゴルファーのラウンドデータ（スコア、打球の軌跡等のデータ）とを配信し、ユーザのコンピュータ端末６１又は３Ｇ携帯電話７２において、有名プロゴルファーとの対戦ゲームを実現することもできる。
【００８３】
また、例えば実際にゴルフ場で同時にプレイした二人分の既述したようなホール別の座標データを前記ＡＳＰコンピュータシステム４１から入手し、図１７に示すよように、ユーザのコンピュータ端末６１又は３Ｇ携帯電話７２において、ゴルフゲームソフトにより、同一ホールにて同時に二人（プレーヤＡ、プレーヤＢ）がティーショットを打って競い合うというような楽しみ方をすることもできる。
【００８４】
この他、例えば、プレーヤが特定のホールのバンカーに打球を打ち込んだ場合に景品を提供するという隠しホールを予め設定しておき、前記デジタル化グラフィックスコアカード１１０を作成した際に、該当者が出現したときに実際に景品を提供するサービスを行うことで、話題性を高め収益向上を図るという活用態様も可能である。
【産業上の利用可能性】
【００８５】
本発明の、ゴルフプレイ情報処理システム、ゴルフプレイ情報活用システムは、上述した場合の他、例えばプレイに応じたスコアカードを作成する野球、ソフトボール等のプレイ情報処理、プレイ情報活用として幅広く適用可能である。
【図面の簡単な説明】
【００８６】
【図１】本発明の実施例１（又は実施例２、実施例３）に係るゴルフプレイ情報処理システムの全体構成を示すブロック図である。
【図２】本発明の実施例１（又は実施例２、実施例３）に係るゴルフプレイ情報処理システムにおけるゴルフ場コンピュータ装置の構成を示すブロック図である。
【図３】本発明の実施例１（又は実施例２、実施例３）に係るゴルフプレイ情報処理システムにおけるデジタル化処理手段の構成を示すブロック図である。
【図４】本発明の実施例２に係るゴルフプレイ情報処理システムにおけるＡＳＰコンピュータシステムの構成を示すブロック図である。
【図５】本発明の実施例１に係るゴルフプレイ情報処理システムにおける手書きのグラフィックスコアカード、デジタル化グラフィックスコアカードの外観を示す概略図である。
【図６】本発明の実施例１に係るゴルフプレイ情報処理システムにおける手書きのグラフィックスコアカード、デジタル化グラフィックスコアカードの具体例を示す図である。
【図７】本発明の実施例１に係るゴルフプレイ情報処理システムにおける手書きのグラフィックスコアカードのスコア記入欄の他例を示す図である。
【図８】本発明の実施例１に係るゴルフプレイ情報処理システムにおけるＱＲカードを示す図である。
【図９】本発明の実施例１に係るゴルフプレイ情報処理システムにおける電子ドキュメントの一例を示す図である。
【図１０】本発明の実施例１に係るゴルフプレイ情報処理システムにおける３ホール分の分析内容からなる電子ドキュメントの他例を示す図である。
【図１１】本発明の実施例１に係るゴルフプレイ情報処理システムにおけるショートホール、ミドルホールの縮尺化した有彩色のレイアウトを示す説明図である。
【図１２】本発明の実施例１に係るゴルフプレイ情報処理システムにおける処理の流れを示すフローチャートである。
【図１３】本発明の実施例３に係るゴルフプレイ情報活用システムにおけるデータ配信の態様を示す概略説明図である。
【図１４】本発明の実施例３に係るゴルフプレイ情報活用システムにおけるユーザのコンピュータ端末画面のゴルフゲーム表示例を示す図である。
【図１５】本発明の実施例３に係るゴルフプレイ情報活用システムにおけるユーザの３Ｇ携帯電話画面のゴルフゲーム表示例を示す図である。
【図１６】本発明の実施例３に係るゴルフプレイ情報活用システムにおいてユーザのコンピュータ端末又は３Ｇ携帯電話で、有名プロゴルファーとの対戦ゲームを実現するためのデータ配信の態様を示す概略説明図である。
【図１７】本発明の実施例３に係るゴルフプレイ情報活用システムにおいてゴルフゲームソフトにより、同一ホールにて同時に二人がティーショットを行う態様を示す図である。
【符号の説明】
【００８７】
１  ゴルフ場コンピュータ装置
２  画像読取手段
３  プログラムメモリ
４  制御部
５  画像読取用インターフェース
６  記憶手段
７  キーボード
８  プリンタ
９  デジタル化処理手段
１０  データ分析処理手段
１１  通信インターフェース
２１  データ入出力処理部
２１  入出力処理部
２２  ＩＤデータ取得記憶部
２３  画像位置合わせ部
２４  記入済みのグラフィックスコアカードメモリ
２５  マッチングマップ記憶部
２８  線分・プロット位置検出部
３０  座標データメモリ
３１  特定領域の文字領域抽出部
３２  文字画像メモリ
３３  文字認識部
３４  スコアデータ記憶部
３５  演算処理部
３６  演算データ記憶部
３７  デジタルスコアカードグラフィック処理部
３８  縮尺レイアウト記憶部
４１  ＡＳＰコンピュータシステム
４２  内部通信網
４３  第１通信インターフェース
４４  第２通信インターフェース
４５  Ｗｅｂサーバ
４６  メールサーバ
４７  担当者端末
４８  ＡＳＰ記憶手段
４９  変換サーバ
５０  課金サーバ
６１  コンピュータ端末
７１  ２Ｇ携帯電話
７２  ３Ｇ携帯電話
８１  通信回線
９１  インターネット網
９２  ２Ｇ網
９３  ３Ｇ網
９４  ハンディキャップ認定機関端末
９５  ゴルフ練習場端末
１００  グラフィックスコアカード
１０１  表紙
１１０  デジタル化グラフィックスコアカード
１１１  表紙
１２０  ＱＲコード
１３０  電子ドキュメント
１３１  電子ドキュメント
【図１】
2008102625.tif 000003
【図２】
2008102625.tif 000004
【図３】
2008102625.tif 000005
【図４】
2008102625.tif 000006
【図５】
2008102625.tif 000007
【図６】
2008102625.tif 000008
【図７】
2008102625.tif 000009
【図８】
2008102625.tif 000010
【図９】
2008102625.tif 000011
【図１０】
2008102625.tif 000012
【図１１】
2008102625.tif 000013
【図１２】
2008102625.tif 000014
【図１３】
2008102625.tif 000015
【図１４】
2008102625.tif 000016
【図１５】
2008102625.tif 000017
【図１６】
2008102625.tif 000018
【図１７】
2008102625.tif 000019
【手続補正書】
【提出日】平成18年11月7日(2006.11.7)
【手続補正１】
【補正対象書類名】明細書
【補正対象項目名】００７５
【補正方法】変更
【補正の内容】
【００７５】
すなわち、図１４及び図１８に示すように、コンピュータ端末６１の画面に実際のゴルフ場のホールに対応した画像が表示されるとともにユーザのマウス操作等による指示に基づき動画キャラクタがウッドやアイアンによるショット、パッティング等のゴルフプレイ動作を当該ユーザの実際のゴルフプレイ動作に対応する状態でかつホール毎に実行する。
【手続補正２】
【補正対象書類名】明細書
【補正対象項目名】００７９
【補正方法】変更
【補正の内容】
【００７９】
すなわち、図１５及び図１９に示すように、前記３Ｇ携帯電話７２の画面に実際のゴルフ場のホールに対応した画像が表示されるとともにユーザの３Ｇ携帯電話７２におけるボタン指示に基づき動画キャラクタがウッドやアイアンによるショット、パターによるパッティング等のゴルフプレイ動作を当該ユーザの実際のゴルフプレイ動作に対応する状態でかつホール毎に実行する。
【手続補正３】
【補正対象書類名】明細書
【補正対象項目名】００８６
【補正方法】変更
【補正の内容】
【００８６】
【図１】本発明の実施例１（又は実施例２、実施例３）に係るゴルフプレイ情報処理システムの全体構成を示すブロック図である。
【図２】本発明の実施例１（又は実施例２、実施例３）に係るゴルフプレイ情報処理システムにおけるゴルフ場コンピュータ装置の構成を示すブロック図である。
【図３】本発明の実施例１（又は実施例２、実施例３）に係るゴルフプレイ情報処理システムにおけるデジタル化処理手段の構成を示すブロック図である。
【図４】本発明の実施例２に係るゴルフプレイ情報処理システムにおけるＡＳＰコンピュータシステムの構成を示すブロック図である。
【図５】本発明の実施例１に係るゴルフプレイ情報処理システムにおける手書きのグラフィックスコアカード、デジタル化グラフィックスコアカードの外観を示す概略図である。
【図６】本発明の実施例１に係るゴルフプレイ情報処理システムにおける手書きのグラフィックスコアカード、デジタル化グラフィックスコアカードの具体例を示す図である。
【図７】本発明の実施例１に係るゴルフプレイ情報処理システムにおける手書きのグラフィックスコアカードのスコア記入欄の他例を示す図である。
【図８】本発明の実施例１に係るゴルフプレイ情報処理システムにおけるＱＲカードを示す図である。
【図９】本発明の実施例１に係るゴルフプレイ情報処理システムにおける電子ドキュメントの一例を示す図である。
【図１０】本発明の実施例１に係るゴルフプレイ情報処理システムにおける３ホール分の分析内容からなる電子ドキュメントの他例を示す図である。
【図１１】本発明の実施例１に係るゴルフプレイ情報処理システムにおけるショートホール、ミドルホールの縮尺化した有彩色のレイアウトを示す説明図である。
【図１２】本発明の実施例１に係るゴルフプレイ情報処理システムにおける処理の流れを示すフローチャートである。
【図１３】本発明の実施例３に係るゴルフプレイ情報活用システムにおけるデータ配信の態様を示す概略説明図である。
【図１４】本発明の実施例３に係るゴルフプレイ情報活用システムにおけるユーザのコンピュータ端末画面のゴルフゲーム表示例を示す図である。
【図１５】本発明の実施例３に係るゴルフプレイ情報活用システムにおけるユーザの３Ｇ携帯電話画面のゴルフゲーム表示例を示す図である。
【図１６】本発明の実施例３に係るゴルフプレイ情報活用システムにおいてユーザのコンピュータ端末又は３Ｇ携帯電話で、有名プロゴルファーとの対戦ゲームを実現するためのデータ配信の態様を示す概略説明図である。
【図１７】本発明の実施例３に係るゴルフプレイ情報活用システムにおいてゴルフゲームソフトにより、同一ホールにて同時に二人がティーショットを行う態様を示す図である。
【図１８】本発明の実施例３に係るゴルフプレイ情報活用システムにおけるユーザのコンピュータ端末画面のゴルフゲーム表示例を示す図である。
【図１９】本発明の実施例３に係るゴルフプレイ情報活用システムにおけるユーザの３Ｇ携帯電話画面のゴルフゲーム表示例を示す図である。
【手続補正４】
【補正対象書類名】図面
【補正対象項目名】図３
【補正方法】変更
【補正の内容】
【図３】
2008102625.tif 000020
【手続補正５】
【補正対象書類名】図面
【補正対象項目名】図１８
【補正方法】追加
【補正の内容】
【図１８】
2008102625.tif 000021
【手続補正６】
【補正対象書類名】図面
【補正対象項目名】図１９
【補正方法】追加
【補正の内容】
【図１９】
2008102625.tif 000022